(57)【特許請求の範囲】
【請求項１】
円弧状目盛り本体部（２２）を有する目盛り盤本体（２０ａ）と、前記目盛り本体部の表面にその円弧方向に沿い印刷形成した複数の目盛り（２４、ｍ、Ｍ）とを有する目盛り盤において、
前記円弧状目盛り本体部は前記目盛り盤本体の中央部からその表面側へ突出して形成されており、
前記円弧状目盛り本体部のうち前記複数の目盛りの各々に対応する部分は前記円弧状目盛り本体部からその表面側へ突出して形成された目盛り隆起部（ｍ）となっており、各目盛り隆起部は、前記表面側へ突出している周壁を有し、
前記円弧状目盛り本体部の表面のうち前記各目盛り隆起部を除く表面部には第１の印刷層（２０ｂ）が遮光性印刷材料により印刷形成されており、
前記各目盛り隆起部の表面には第２の印刷層（２０ｃ）が半透光性印刷材料により印刷形成されており、前記周壁は前記目盛り盤本体の一部からなり透明となっていることを特徴とする目盛り盤。
【請求項２】
前記目盛り盤本体は一枚の透光性の樹脂製シートの絞り加工で形成されており、前記複数の目盛りは前記樹脂製シートの絞り加工前にこのシートの表面のうち前記目盛り本体部に対する対応部分に半透光性印刷材料で印刷形成されていることを特徴とする請求項１に記載の目盛り盤。
【請求項３】
請求項１又は２に記載の目盛り盤（２０、２０Ａ）と、
この目盛り盤の表面に沿い前記円弧状目盛り部の半径方向中央を回動中心として回動する指針（４０、４０Ａ）とを備える指示計器。
【請求項４】
請求項２に記載の目盛り盤（２０、２０Ａ）と、
この目盛り盤の表面に沿い前記円弧状目盛り部の半径方向中央を回動中心として回動する指針（４０、４０Ａ）と、
前記目盛り盤本体の中央部にその裏面側から光を入射する第１光源（５０、５０Ａ、７０、７０Ａ）と、
前記目盛り本体部にその裏面側から前記第１光源とは異なる色の光を入射する第２光源（６０、６０Ａ、８０、８０Ａ）とを備える指示計器。
【発明の詳細な説明】
【０００１】
【発明の属する技術分野】
本発明は、目盛り盤及びこの目盛り盤を用いる指示計器に関するものである。
【０００２】
【従来の技術】
従来、例えば、自動車用指示計器としては、実開昭６０−１５９３１９号公報にて開示されているようなものがある。この指示計器の目盛り盤では、外周部が、中央部よりも表面側へ隆起して形成されており、当該外周部には、目盛り部が形成されている。これにより、目盛り盤をその表面側から見たとき、当該目盛り盤に立体感を視認させる。
【０００３】
【発明が解決しようとする課題】
ところで、上記指示計器では、目盛り部の表面は、平面的であって、特に立体感を与えるものではない。従って、この点で、目盛り盤には、何ら面白みや斬新さは感じられない。
【０００４】
これに対しては、実開昭６３−１７０７１４号公報にて示す指示計器のように、目盛り盤の目盛り部のうち各目盛りを目盛り部の表面側へ突出させて構成したものがある。しかし、この指示計器では、目盛り盤の裏面側に位置する導光板の表面に各目盛りを凸状に形成し、これら各目盛りを目盛り盤の目盛り部の各目盛り穴部を通して突出させている。従って、導光板の各目盛りと目盛り盤の各目盛り穴部との位置合わせが困難であるのは勿論のこと、目盛り盤の他に導光板という別部材が必要なため、指示計器の構成部品が増大しコスト高を招くという不具合が生ずる。
【０００５】
そこで、本発明は、以上のようなことに対処するため、目盛り部を中央部よりも表面側へ突出させた構成を活用し、目盛り部の各目盛りをも表面側へ一体的に突出させてなる目盛り盤及び指示計器を提供することを目的とする。
【０００６】
【課題を解決するための手段】
上記課題の解決にあたり、請求項１に記載の発明に係る目盛り盤は、円弧状目盛り本体部（２２）を有する目盛り盤本体（２０ａ）と、目盛り本体部の表面にその円弧方向に沿い印刷形成した複数の目盛り（２４、ｍ、Ｍ）とを有する。
【０００７】
当該目盛り盤において、円弧状目盛り本体部は目盛り盤本体の中央部からその表面側へ突出して形成されており、円弧状目盛り本体部のうち複数の目盛りの各々に対応する部分は円弧状目盛り本体部からその表面側へ突出して形成された目盛り隆起部（ｍ）となっており、各目盛り隆起部は、表面側へ突出している周壁を有し、円弧状目盛り本体部の表面のうち各目盛り隆起部を除く表面部には第１の印刷層（２０ｂ）が遮光性印刷材料により印刷形成されており、各目盛り隆起部の表面には第２の印刷層（２０ｃ）が半透光性印刷材料により印刷形成されており、周壁は目盛り盤本体の一部からなり透明となっていることを特徴とする。
【０００８】
このように、目盛り盤本体において、円弧状目盛り本体部が目盛り盤本体の中央部よりも表面側へ突出し、かつ円弧状目盛り本体部のうち各目盛りに対する各対応部分が表面側へ突出して形成されているから、目盛り盤を見たときその目盛り本体部に対応する部分が目盛り盤の中央部の表面に対し二重に突出して見える。従って、目盛り盤に対し、奥行き感を伴った立体感を、従来にない見映えや面白みでもって与え得る。
【０００９】
また、目盛り盤本体はその全体構成が一体に形成されているから、余分な別部材を用いて各目盛りに対応する部分を突出させたりこの突出のために位置合わせする必要もなく、目盛り盤の構成が簡単となりコストの低減につながる。
【００１０】
また、請求項２に記載の発明によれば、請求項１に記載の発明において、
目盛り盤本体は一枚の透光性の樹脂製シートの絞り加工で形成されており、
複数の目盛りは樹脂製シートの絞り加工前にこのシートの表面のうち目盛り本体部に対する対応部分に半透光性印刷材料で印刷形成されていることを特徴とする。これにより、請求項１に記載の発明の作用効果をより一層向上できる。
【００１１】
また、請求項３に記載の発明に係る指示計器は、請求項１又は２に記載の目盛り盤（２０、２０Ａ）と、この目盛り盤の表面に沿い円弧状目盛り部の半径方向中央を回動中心として回動する指針（４０、４０Ａ）とを備える。これにより、請求項１又は２に記載の発明の作用効果を達成し得る目盛り盤を用いた指示計器の提供が可能となる。
【００１２】
また、請求項４に記載の発明に係る指示計器は、請求項２に記載の目盛り盤（２０、２０Ａ）と、この目盛り盤の表面に沿い円弧状目盛り部の半径方向中央を回動中心として回動する指針（４０、４０Ａ）と、目盛り盤本体の中央部にその裏面側から光を入射する第１光源（５０、５０Ａ、７０、７０Ａ）と、目盛り本体部にその裏面側から第１光源とは異なる色の光を入射する第２光源（６０、６０Ａ、８０、８０Ａ）とを備える。
【００１３】
これにより、請求項２に記載の発明の作用効果を達成し得る目盛り盤を用いた指示計器の提供が可能になるのは勿論のこと、目盛り盤本体の中央部に入射する光の色は、目盛り本体部に入射する光の色と異なるため、請求項１に記載の発明の作用効果をより一層見映えのある作用効果とし得る。
【００１４】
なお、上記各手段の括弧内の符号は、後述する実施形態に記載の具体的手段との対応関係を示すものである。
【００１５】
【発明の実施の形態】
以下、本発明の一実施形態を図１乃至図５に基づいて説明する。図１は、本発明に係る乗用車用指示計器の一実施形態を示しており、この指示計器は、当該乗用車の車室内に設けたインストルメントパネルにコンビネーションメータとして配設されている。当該指示計器は、スピードメータＳ、タコメータＴ、フューエルゲージＦ及び水温ゲージＷを備えており、これらスピードメータＳ、タコメータＴ、フューエルゲージＦ及び水温ゲージＷは、環状の見返し板１０の底壁１１にその裏面側から組み付けたケーシング（図示しない）内に取り付けられている。
【００１６】
スピードメータＳは、目盛り盤２０と、回動内機３０（図５参照）と、指針４０とを備えており、目盛り盤２０は、図２乃至図４にて示すごとく、目盛り盤本体２０ａと、印刷層２０ｂと、印刷層２０ｃとにより構成されている。目盛り盤本体２０ａは、透明の樹脂シートにより、図２から分かるような断面形状に形成されており、この目盛り盤本体２０ａは、図２乃至図４にて示すごとく、環状外周縁本体部２１と、環状目盛り本体部２２と、円形状中央本体部２３とを一体に備えている。
【００１７】
この目盛り盤本体２０ａにおいて、図２乃至図４にて示すように、環状外周縁本体部２１及び円形状中央本体部２３は同一平面内にあり、環状目盛り本体部２２は、これら環状外周縁本体部２１及び円形状中央本体部２３よりも表面側へ突出するように当該環状外周縁本体部２１及び円形状中央本体部２３の表面側へ隆起して形成されている。
【００１８】
目盛り本体部２２は、略断面コ字状に当該環状外周縁本体部２１及び円形状中央本体部２３の表面側へ隆起しており、この目盛り本体部２２は、外周縁本体部２１の内周からこれに略垂直状に立ち上がる環状の外側壁２２ａと、中央本体部２３の外周から径方向外側へ傾斜状に立ち上がる環状の内側壁２２ｂと、これら外側壁２２ａ及び内側壁２２ｂの各上端間に円形状中央本体部２３に並行に位置するように形成した環状の上側壁２２ｃとにより構成されている。
【００１９】
また、目盛り本体部２２では、環状の上側壁２２ｃは、複数の目盛り隆起部ｍを備えており、これら各目盛り隆起部ｍは、上側壁２２ｃの周方向に沿い、当該乗用車の車速を目盛るように、上側壁２２ｃの表面から断面コ字状に隆起して形成されている（図２乃至図４参照）。
【００２０】
印刷層２０ｂは、目盛り盤本体２０ａの表面のうち各目盛り隆起部ｍ及び複数の数ｎ（車速を表すもので、図２では一つの数のみを示す）に対応する部分を除く表面部に遮光性印刷材料により層状に印刷形成されている。複数の数ｎは、半透光性印刷材料により、中央本体部２３の表面のうち各該当部分に印刷形成されている。なお、各数ｎは、各目盛り隆起部ｍに対応するように、中央本体部２３の表面に形成されている。
【００２１】
印刷層２０ｃは、複数の印刷部２４からなるもので、これら複数の印刷部２４は、各目盛り隆起部ｍの表面に半透光性印刷材料により印刷形成されている。本実施形態では、目盛り盤本体２０ａの外周縁本体部２１及び印刷層２０ｂのうち外周縁本体部２１に対応する部分が、目盛り盤２０の外周縁部ａを構成し、目盛り盤本体２０ａの目盛り本体部２２及び各印刷部２４が、目盛り盤２０の環状目盛り部ｂを構成し、また、目盛り盤本体２０ａの中央本体部２３及び印刷層２０ｂのうち当該中央本体部２３に対応する部分が、目盛り盤２０の円形状中央部ｃを構成する。また、目盛り隆起部ｍ及びその印刷部２４が目盛り盤２０の目盛りＭを構成する。
【００２２】
ここで、目盛り盤２０の製造方法について説明する。目盛り盤本体２０ａは透明の一枚の樹脂製シートを圧空成形法により絞り成形することで形成するが、当該樹脂製シートとしては、板厚が０．３ｍｍ乃至１．０ｍｍの範囲内の値、例えば、０．５ｍｍの透明のポリカーボネートのシートが採用される。なお、上記樹脂製シートは、上述のようにポリカーボネートのシートに限ることなく、上記板厚の範囲のものであれば、各種の樹脂製シートであってもよい。
【００２３】
目盛り盤２０の製造にあたり、圧空成形用金型を準備する。この圧空成形用金型の金型面は、目盛り盤本体２０ａの断面形状とは逆対称の断面形状を有する。また、上記樹脂製シートの表面のうち目盛り盤本体２０ａの印刷層２０ｂに対応する部分には、遮光性印刷材料を数μｍ乃至１０μｍの範囲内の厚さにてスクリーン印刷により印刷して当該印刷層２０ｂを形成する。また、上記樹脂製シートの表面のうち目盛り盤本体２０ａの各印刷部２４及び各数ｎに対応する部分には、半透光性印刷材料を数μｍ乃至１０μｍの範囲内の厚さにてスクリーン印刷により印刷して各印刷部２４及び各数ｎを形成する。以下、このように樹脂製シートに印刷を施したものを、原板シートという。
【００２４】
目盛り盤２０の絞り加工による製造にあたり、上記金型を、その金型面が水平になるように、圧空供給室内におく。然る後、上記原板シートを上記金型の金型面の直上にてこの金型面に平行になるように保持する。但し、上記原板シートのうち目盛り盤本体２０ａの印刷層２０ｂ、各印刷部２４及び各数ｎに対応する部分を、上記金型の金型面の対応部に対向するように保持する。
【００２５】
このような状態にて、上記原板シートにその裏面側から上記金型面側に向けて空気を圧送すると、当該原板シートは上記金型面に押しつけられる。これに伴い、当該原板シートは、その断面形状が目盛り盤２０の断面形状になるように絞り成形される。これにより、目盛り盤２０の製造が終了する。このように製造した目盛り盤２０は、その外周縁部ａにて、見返し板１０の開口部２１ａの周縁部に固着されて、目盛り部ｂを開口部２１ａを通し表面側へ突出させる。
【００２６】
回動内機３０は、その内機本体にて、目盛り盤２０の裏面側にて上記ケーシング内に取り付けられており、この回動内機３０は、その指針軸でもって、上記内機本体から回動可能に目盛り盤２０の貫通穴部を通り延出している。指針４０は、その回動基部にて、上記指針軸の先端部に支持されて、目盛り盤２０の中央部ｃの表面に沿い回動するようになっている。
【００２７】
また、スピードメータＳは、図１乃至図３にて示すごとく、導光板５０及び円弧状導光部材６０と、各複数の発光ダイオード７０、８０とを備えている。導光板５０は、目盛り盤２０の裏面に沿い中央部ｃに対応する位置にて併設されており、この導光板５０はその裏面から入射する光を導光してその表面から中央部ｃに入射する。
【００２８】
当該導光部材６０は、断面台形状のもので、この導光部材６０は、目盛り部ｂのうち各目盛りＭに対応する円弧状領域に対応して位置する。これにより、導光部材６０は、その裏面から入射する光を導光し、円弧状上端部６１から目盛り部ｂの上側壁２２ｃにその裏面から入射する。なお、導光部材６０は、円弧状上端部６１にて、環状の目盛り部ｂ内に位置している。
【００２９】
複数の発光ダイオード７０は、図１及び図２にて示すごとく、導光板５０の裏面外周部に沿い間隔をおいて配列されており、これら各発光ダイオード７０は、橙色の光を発光して導光板５０にその裏面から入射する。本実施形態では発光ダイオード７０の数は５個である。複数の発光ダイオード８０は、図１及び図２にて示すごとく、導光部材６０の裏面に沿いその周方向に間隔をおいて配列されており、これら各発光ダイオード８０は、緑色の光を発光して導光部材６０にその裏面から入射する。本実施形態では、発光ダイオード８０の数は５個である。
【００３０】
タコメータＴは、図１にて示すごとく、目盛り盤２０Ａ、回動内機３０Ａ（図５参照）及び指針４０Ａを備えており、目盛り盤２０Ａは、目盛り盤２０と実質的に同様に構成されている。即ち、目盛り盤２０Ａは、目盛り盤２０の外周縁部ａ、目盛り部ｂ及び中央部ｃにそれぞれ対応する環状の外周縁部ｄ、環状の目盛り部ｅ及び円形状中央部ｆによって構成されている。ここで、外周縁部ｄは、外周縁部ａと同様の構成を有する。また、目盛り部ｅは、目盛り部ｂとは異なり当該乗用車のエンジンの回転数を目盛ってなる点を除き、当該目盛り部ｂと実質的に同様の構成を有する。なお、目盛り部ｅの目盛り及び数は目盛り部ｂの目盛りＭ及び数ｎと同様の構成を有し、図１にて符号Ｍ及びｎで示す。
【００３１】
回動内機３０Ａは、その内機本体にて、目盛り盤２０Ａの裏面側にて上記ケーシング内に取り付けられており、この回動内機３０Ａは、その指針軸でもって、その内機本体から回動可能に目盛り盤２０Ａの貫通穴部を通り延出している。指針４０Ａは、その回動基部にて、対応の上記指針軸の先端部に支持されて、目盛り盤２０Ａの中央部ｆの表面に沿い回動するようになっている。
【００３２】
また、タコメータＴは、導光板５０及び導光部材６０に対応する導光板５０Ａ及び導光部材６０Ａと、複数の発光ダイオード７０に対応する複数の発光ダイオード７０Ａと、数の発光ダイオード８０に対応する複数の発光ダイオード８０Ａとを備えている。これら導光板５０Ａ、導光部材６０Ａ、複数の発光ダイオード７０Ａ及び複数の発光ダイオード８０Ａは、それぞれ、導光板５０、導光部材６０、複数の発光ダイオード７０及び複数の発光ダイオード８０と同様の構成及び機能を有する。
【００３３】
フューエルゲージＦは、図１にて示すごとく、目盛り盤２０Ｂ、回動内機３０Ｂ（図５参照）及び指針４０Ｂを備えている。また、水温ゲージＷは、目盛り盤２０Ｃ、回動内機３０Ｃ（図５参照）及び指針４０Ｃを備えている。
【００３４】
次に、当該指示計器の電気回路構成につき図５を参照して説明する。センサ群９０は、当該乗用車の車速、当該乗用車のエンジンの回転数、当該乗用車の燃料タンク内の燃料の残量及び上記エンジンの冷却系統の水温を検出する。制御回路１００は、マイクロコンピュータを主たる構成素子として有するもので、この制御回路１００は、そのマイクロコンピュータによるセンサ群９０の各検出出力に応じた処理でもって各回動内機３０、３０Ａ、３０Ｂ、３０Ｃの内機本体の駆動処理をし、また、各発光ダイオード７０、７０Ａ、８０、８０Ａの駆動処理をする。なお、制御回路１００は、バッテリＢから当該乗用車のイグニッションスイッチＩＧを介し給電されて上記マイクロコンピュータとともに作動する。
【００３５】
以上のように構成した本実施形態において、当該乗用車をイグニッションスイッチＩＧのオンに伴い走行状態におく。また、制御回路１００は、イグニッションスイッチＩＧのオンに伴いバッテリＢから給電されてそのマイクロコンピュータとともに作動して、各発光ダイオード７０、７０Ａ、８０、８０Ａの駆動処理をし、また、センサ群９０の各検出出力に応じて各回動内機３０、３０Ａ、３０Ｂ、３０Ｃの内機本体の駆動処理をする。
【００３６】
これに伴い、各発光ダイオード７０、７０Ａ、８０、８０Ａが制御回路１００により発光駆動制御されて発光する。すると、各発光ダイオード７０、７０Ａは橙色の光を出射し、各発光ダイオード８０、８０Ａは緑色の光を出射する。
【００３７】
すると、スピードメータＳにおいては、導光板５０は、その裏面にて、各発光ダイオード７０から橙色光を入射されて導光し目盛り盤２０の中央部ｃにその裏面から出射する。このため、この導光板５０の出射光は、目盛り盤２０の中央部ｃの各数ｎを透過する。これにより、目盛り盤２０の中央部ｃは、各数ｎにて、橙色にて光る。
【００３８】
また、導光部材６０は、その裏面にて、各発光ダイオード８０から緑色光を入射されて導光し目盛り盤２０の目盛り部ｂにその裏面から出射する。このため、この導光部材６０の出射光は、目盛り盤２０の目盛り部ｂの各目盛りＭを透過する。これにより、目盛り盤２０の目盛り部ｂは、各目盛りＭにて、緑色にて光る。
【００３９】
また、タコメータＴにおいては、導光板５０Ａは、その裏面にて、各発光ダイオード７０Ａから橙色光を入射されて導光し目盛り盤２０Ａの中央部ｅにその裏面から出射する。このため、この導光板５０Ａの出射光は、目盛り盤２０Ａの中央部ｆの各数ｎを透過する。これにより、目盛り盤２０Ａの中央部ｆは、各数ｎにて、橙色にて光る。
【００４０】
また、導光部材６０Ａは、その裏面にて、各発光ダイオード８０Ａから緑色光を入射されて導光し目盛り盤２０Ａの目盛り部ｅにその裏面から出射する。このため、この導光部材６０の出射光は、目盛り盤２０の目盛り部ｅの各目盛りＭを透過する。これにより、目盛り盤２０Ａの目盛り部ｅは、各目盛りＭにて、緑色にて光る。
【００４１】
ここで、スピードメータＳにおいては、目盛り部ｂは、中央部ｃよりも表面側へ環状に突出しており、しかも各目盛りＭは目盛り部ｂのうち目盛り本体部２２の上側壁２２ｃの表面よりも表面側へそれぞれ突出している。従って、このような目盛り部ｂの突出及び各目盛りＭの突出という二重の突出構造のため、乗員が目盛り盤２０を見たとき、奥行き感を伴った立体感を、従来にない見映えや面白みでもって、当該乗員に与え得る。また、各目盛りＭの周壁は、上記樹脂製シートの一部からなり透明であるから、上記立体感がより一層強調され得る。以上のようなことは、タコメータＴでも同様である。
【００４２】
また、スピードメータＳにおいては、目盛り盤２０が、樹脂製シートに印刷を施した原板シートの圧空成形法による絞り成形により、目盛り盤本体２０ａにおいて、各目盛りＭをも含め一体に形成されているから、各目盛りＭの隆起形成にあたり別部材を必要としたりこの別部材の位置合わせを必要とすることはない。よって、目盛り盤２０の構成や作業性が簡単になりコストの低減につながる。このようなことは、タコメータＴでも同様である。
【００４３】
また、スピードメータＳにおいては、上述のごとく、目盛り盤２０の中央部ｃの各数ｎが橙色で光り、一方、目盛り盤２０の目盛り部ｂの各目盛りＭが緑色で光るので、このような異なる色の光のため、上記立体感が一層の斬新な見映えをもって乗員に与えられ得る。このようなことは、タコメータＴでも同様である。
【００４４】
また、上述のように、制御回路１００がセンサ群９０の各検出出力に応じて各回動内機３０、３０Ａ、３０Ｂ、３０Ｃの内機本体の駆動処理をすると、各回動内機３０、３０Ａ、３０Ｂ、３０Ｃは、各指針４０、４０Ａ、４０Ｂ、４０Ｃを回動する。このため、各指針４０、４０Ａ、４０Ｂ、４０Ｃは、各目盛り盤２０、２０Ａ、２０Ｂ、２０Ｃ上にて指示する。この場合、スピードメータＳ及びタコメータＴにおいて上述のような作用効果が達成されるので、この作用効果のもと、スピードメータＳ及びタコメータＴでの指針の指示により一層の斬新な見映えを確保できる。
【００４５】
なお、本発明の実施にあたり、スピードメータＳにおける複数の発光ダイオード７０の発光色は、複数の発光ダイオード８０の発光色と同一にしてもよく、また、この場合には、導光板５０及び導光部材６０を一体の導光体で構成し、複数の発光ダイオード７０或いは複数の発光ダイオード８０を廃止しもよい。このようなことはタコメータＴでも同様である。
【００４６】
また、本発明の実施にあたり、スピードメータＳにおいて、目盛り盤２０の中央部ｃに形成した各数ｎは、目盛り本体部２２の内側壁２２ｂの表面に印刷形成してもよい。このようなことはタコメータＴでも同様である。
【００４７】
また、本発明の実施にあたり、スピードメータＳにおいて、指針４０に代えて発光指針を採用し、この発光指針にも導光板５０から光を導入するように構成し、イグニッションスイッチＩＧのオンに伴い、当該発光指針を発光し、その０．５秒後に各発光ダイオード８０を発光し、さらにその０．５秒後に各発光ダイオード７０を発光させるようにしてもよい。このような時差発光でもって、スピードメータＳの目盛り盤の視認性をより一層斬新なものとすることができる。このようなことはタコメータＴでも同様に実現できる。
【００４８】
また、本発明の実施にあたり、スピードメータＳにおいて、各発光ダイオード７０と、各発光ダイオード８０とを時差発光させるようにしてもよい。これにより、目盛り盤２０の中央部ｃと目盛り部ｂとの間の時差照明を実現でき、より一層の見映えの向上となる。このようなことはタコメータＴでも同様に実現できる。
【００４９】
また、本発明の実施にあたり、目盛り盤本体２０ａの目盛り本体部２２は、環状に隆起させることなく、印刷層２０ｃの印刷範囲に対応する円弧状部分のみを、隆起させるようにしてもよい。
【００５０】
また、本発明の実施にあたり、スピードメータＳにおいて、導光板５０及び導光部材６０を廃止して、複数の発光ダイオード７０の光を目盛り盤２０の中央部ｃの裏面側に直接入射するとともに、複数の発光ダイオード８０の光を目盛り盤２０の目盛り部ｂにその裏面から直接入射するようにしてもよい。
【００５１】
また、本発明の実施にあたり、コンビネーションメータではなく、スピードメータ等の単体の指示計器に本発明を適用してもよい。
【００５２】
また、本発明の実施にあたり、乗用車用指示計器に限ることなく、バス、トラックや自動二輪車等の自動車その他の車両や船舶に採用される指示計器或いは一般産業機器用指示計器に本発明を適用してもよい。
【図面の簡単な説明】
【図１】本発明に係る乗用車用指示計器の一実施形態を示す正面図である。
【図２】図１にて２−２線に沿う拡大断面図である。
【図３】図２にて３−３線に沿う拡大断面図である。
【図４】図３のうち目盛り盤のみを抽出した拡大断面図である。
【図５】上記実施形態における電気回路構成図である。
【符号の説明】
２０、２０Ａ…目盛り盤、２０ａ…目盛り盤本体、２２…目盛り本体部、
２４…印刷部、４０、４０Ａ…指針、
５０、５０Ａ、６０、６０Ａ、７０、７０Ａ、８０、８０Ａ…光源、
ｍ…目盛り隆起部、Ｍ…目盛り。
【図１】
0004218220.tif 000002
【図２】
0004218220.tif 000003
【図３】
0004218220.tif 000004
【図４】
0004218220.tif 000005
【図５】
0004218220.tif 000006